(57)【要約】【課題】ボウルが浅底形状の洋式便器にも使用可能な採尿装置を提供する。【解決手段】ケーシング１２が、洋式便器１１のリム１１ａを跨ぐ状態で取り付けられた採尿装置１０は、モータ１３によって回転駆動される駆動軸１４と、駆動軸１４に基端が連結された採尿アーム１５と、採尿アーム１５の先端に設けられた採尿器１６と、を備えている。駆動軸１４は、洋式便器１１のボウル１７内のリム１１ａ寄りの領域に配置され、その上端部１４ａがリム１１ａから離れる方向に傾斜状態に保持されている。駆動軸１４の駆動源であるモータ１３はボウル１７内のリム１１ａ寄りの領域に配置され、モータ１３の回転力はベルト１８を介して駆動軸１４に伝達される。採尿器１６は上面が開口した箱形容器であり、その平面視形状は二等辺三角形をく字状に湾曲させた形状で、二等辺三角形の底辺に相当する部分が採尿アーム１５の先端に着脱可能に取り付けられている。【選択図】図１
2008014675.tif 000002
【特許請求の範囲】
【請求項１】
洋式便器のボウル内のリム寄りの領域に配置され鉛直線から傾斜する状態に保持された駆動軸と、前記駆動軸を回転駆動する動力源と、前記駆動軸に基端が連結された採尿アームと、前記採尿アームの先端に設けられた採尿器と、を備えたことを特徴とする採尿装置。
【請求項２】
前記動力源を前記ボウル内に配置したことを特徴とする請求項１記載の採尿装置。
【請求項３】
収納位置にある前記採尿器内の残留物を排出するための排出孔を設けたことを特徴とする請求項１または２記載の採尿装置。
【請求項４】
前記採尿器に、前記リムの内周形状に合致可能な形状の対向部を設けたことを特徴とする請求項１〜３のいずれかに記載の採尿装置。
【請求項５】
前記駆動軸を、その上端が前記リムから離れる方向に傾斜させたことを特徴とする請求項１記載の採尿装置。
【発明の詳細な説明】
【技術分野】
【０００１】
本発明は、尿分析に供する尿をサンプリングするため洋式便器に取り付けて使用される採尿装置に関する。
【背景技術】
【０００２】
本願発明に関連する従来の採尿装置として、例えば、特許文献１に記載されたものがある。図１０に示すように、この採尿装置９０は、洋式便器９１のボウル９２の側部に配置され、先端に採尿部９３を有する採尿アーム９４を、水平方向に配置された駆動軸９５を中心にボウル９２内で回動させることにより、採尿部９３を収納位置と採尿位置との間で移動させている。この場合、採尿アーム９４を回動させる駆動軸９５の駆動源は洋式便器９１の外側に配置されている。
【０００３】
【特許文献１】特許第３４８４８６５号公報
【発明の開示】
【発明が解決しようとする課題】
【０００４】
特許文献１記載の採尿装置の場合、駆動軸９５を中心に採尿アーム９４が回動するときその先端にある採尿部９３は垂直方向の円弧を描きながらボウル９２内を昇降移動するため、ボウル９２は採尿部９３が昇降移動できるだけの深さが必要である。このため、底の浅い形状の洋式便器においては、採尿アーム９４先端の採尿部９３がボウル９２に接触して、移動不能となることがある。即ち、特許文献１記載の採尿装置はボウルが浅底形状の洋式便器には使用できないことがある。
【０００５】
本発明が解決しようとする課題は、ボウルが浅底形状の洋式便器にも使用可能な採尿装置を提供することにある。
【課題を解決するための手段】
【０００６】
本発明の採尿装置は、洋式便器のボウル内のリム寄りの領域に配置され鉛直線から傾斜する状態に保持された駆動軸と、前記駆動軸を回転駆動する動力源と、前記駆動軸に基端が連結された採尿アームと、前記採尿アームの先端に設けられた採尿器と、を備えたことを特徴とする。
【０００７】
このような構成とすれば、鉛直線から傾斜する状態に保持された駆動軸を中心に回動する採尿アームおよび採尿器はリムから離れる方向に下り勾配をなす仮想平面に沿って移動することとなるため、駆動軸の傾斜角度を鉛直線に近づけることにより、この仮想平面の勾配を水平に近づけることができる。即ち、ボウルの深さに応じて駆動軸の傾斜角度を設定すれば、採尿アームおよび採尿器の回動領域をボウル面から離れた位置に設定することができる。従って、ボウルが浅底形状の洋式便器にも使用可能となる。
【０００８】
ここで、前記動力源を前記ボウル内に配置すれば、動力源と駆動軸との間の動力伝達機構をボウル内に配置することが可能となるため、リムを跨いで配置される部材の薄小化、簡略化を図ることができる。このため、リムと便座との隙間が小さい洋式便器にも容易に取り付けることが可能となる。
【０００９】
一方、収納位置にある前記採尿器内の残留物を排出するための排出孔を設ければ、採尿および尿分析が完了した採尿器内に尿や洗浄水が残留するのを防止することができる。なお、排出孔としては、採尿器に対する使用者の尿流率より小さい流量で尿を排出可能な貫通孔を採尿器に開設したり、収納位置にある採尿器の最下部に開口する貫通孔を採尿器に開設したりすることができる。
【００１０】
また、前記採尿器に、前記リムの内周形状に合致可能な形状の対向部を設ければ、対向部をリムの内周に最接近もしくは接触させた状態にして採尿器を収納することが可能となるため、ボウル領域への採尿器の突出を抑制することができる。従って、ボウルの開口領域を広く確保することが可能となり、男性が起立姿勢で排尿する際の不都合を軽減することができる。
【００１１】
なお、採尿アームの駆動軸の傾斜角度はボウルの深さに応じて設定可能であるため、ボウルが浅いときは前記傾斜角度を小さくし、ボウルが深いときは前記傾斜角度を大きくすることができるが、前記駆動軸を、その上端が前記リムから離れる方向に傾斜させることが望ましい。このような構成とすれば、一般住宅、医療施設あるいは公共施設などに設置されている洋式便器の殆ど全てに対して使用可能となる。
【発明の効果】
【００１２】
本発明により、ボウルが浅底形状の洋式便器にも使用可能な採尿装置を提供することができる。
【発明を実施するための最良の形態】
【００１３】
以下、図面に基づいて、本発明の実施の形態について説明する。図１は本発明の実施の形態である採尿装置を洋式便器に取り付けた状態を示す平面図、図２は図１の一部拡大図、図３は図１における矢線Ａ方向から見た図、図４は図１のＢ−Ｂ線における一部省略断面図である。
【００１４】
図１，図２に示すように、本実施形態の採尿装置１０は、そのケーシング１２が、洋式便器１１のリム１１ａを跨ぐ状態で取り付けられている。採尿装置１０は、モータ１３によって回転駆動される駆動軸１４と、駆動軸１４に基端が連結された採尿アーム１５と、採尿アーム１５の先端に設けられた採尿器１６と、を備えている。駆動軸１４は、洋式便器１１のボウル１７内のリム１１ａ寄りの領域に配置され、その上端部１４ａがリム１１ａから離れる方向に傾斜状態に保持されている。駆動軸１４の駆動源であるモータ１３はボウル１７内のリム１１ａ寄りの領域に配置され、モータ１３の回転力はベルト１８を介して駆動軸１４に伝達される。
【００１５】
図２に示すように、採尿器１６は上面が開口した箱形容器であり、その平面視形状は二等辺三角形をく字状に湾曲させた形状をなし、その二等辺三角形の底辺に相当する部分が採尿アーム１５の先端に着脱可能に取り付けられている。採尿器１６の片側面には、リム１１ａの内周１１ｂの凹曲面形状に沿った凸曲面形状をした対向部１６ａが設けられている。また、採尿器１６の底部１６ｂの採尿アーム１５寄りの角隅部には底部１６ｂを貫通する排出孔１６ｃが設けられている。
【００１６】
採尿装置１０においては、図４に示すように、洋式便器１１のリム１１ａから離れる方向に傾斜した駆動軸１４を中心に回動する採尿アーム１５および採尿器１６は、図３に示すように、収納位置Ｐ１から採尿位置Ｐ４に至る範囲内で、リム１１ａから離れながらトラップ１１ｔ（図２参照）に接近する方向に下り勾配をなす仮想平面Ｌに沿って移動することとなる。従って、駆動軸１４の傾斜角度１４ｒを鉛直線Ｖに近づければ、この仮想平面Ｌの勾配を水平に近づけることができる。即ち、ボウル１７の深さに応じて駆動軸１４の傾斜角度１４ｒを設定すれば、採尿アーム１５および採尿器１６の回動領域をボウル面１７ａから離れた位置に設定することができる。このため、採尿装置１０はボウル１７が浅底形状をした洋式便器１１にも使用可能である。なお、駆動軸１４を、その上端部１４ａが洋式便器１１のリム１１ａから離れる方向に傾斜させる方式に代えて、上端部１４ａが採尿器１６の収納位置Ｐ１から離れる方向に傾斜させてもよい。
【００１７】
また、採尿装置１０においては、動力源であるモータ１３をボウル１７内に配置しているため、モータ１３と駆動軸１４との間の動力伝達機構（ベルト１８）もボウル１７内に配置することができる。従って、リム１１ａを跨いで配置される部材の薄小化、簡略化を図ることが可能であり、図３に示すように、リム１１ａと便座１９との隙間Ｓが比較的小さい洋式便器１１にも容易に取り付けることができる。
【００１８】
一方、図２に示すように、採尿器１６の底部１６ｂには排出孔１６ｃが開設されているため、採尿および尿分析が完了した採尿器１６内に尿や洗浄水が残留するのを防止することができる。本実施形態の排出孔１６ｃは、採尿器１６に対する使用者の尿流率より小さい流量で尿を排出可能な貫通孔である。また、排出孔１６ｃは、収納位置Ｐ１にある採尿器１６の最下部に位置する部分である、採尿器１６の底部１６ｂの採尿アーム１５寄りの角隅部に開設されている。このため、採尿器１６が収納位置Ｐ１にあるときに採尿器１６内に残留する尿や洗浄水を残らず排出することができる。
【００１９】
また、図２に示すように、採尿器１６の片側面には、リム１１ａの内周１１ｂの凹曲面形状に沿った凸曲面形状をした対向部１６ａが設けられているため、対向部１６ａをリム１１ａの内周１１ｂに最接近もしくは接触させた状態にして採尿器１６を収納することができる。従って、採尿器１６が収納位置Ｐ１にあるとき、ボウル１７領域への採尿器１６の突出を最小限に抑制することができる。このため、ボウル１７の開口領域を広く確保することが可能となり、男性が起立姿勢で排尿する際の不都合を軽減することができる。
【００２０】
なお、採尿アーム１５の駆動軸１４の傾斜角度１４ｒはボウル１７の深さに応じて設定可能であるため、ボウル１７が浅いときは傾斜角度１４ｒを小さくし、ボウル１７が深いときは傾斜角度１４ｒを大きくすることができるが、本実施形態では、図４に示すように傾斜角度１４ｒを鉛直線Ｖに対して１５度に設定している。このような傾斜角度１４ｒとすれば、一般住宅、医療施設あるいは公共施設などに設置されている洋式便器１１の殆ど全てに対して使用可能である。
【００２１】
次に、図５〜図９に基づいて、本発明のその他の実施の形態について説明する。図５は本発明のその他の実施の形態である採尿装置を示す側面図、図６は図５に示す採尿装置の正面図、図７は図５に示す採尿装置の一部省略平面図、図８（ａ）は図５に示す採尿装置を構成する採尿器の平面図、図８（ｂ）は前記採尿器の側面図、図８（ｃ）は前記採尿器の底面図、図９（ａ）は図８に示す採尿器の正面図、図９（ｂ）は前記採尿器の背面図である。なお、図５〜図９において図１〜図４に示す符号と同符号を付している部材は採尿装置１０の構成部材と同じ構造、機能を有する部分であるため説明を省略する。
【００２２】
図５〜図７に示すように、本実施形態の採尿装置２０は、ケーシング２２に内蔵されたモータ１３によって回転駆動される駆動軸１４と、駆動軸１４に基端が連結された採尿アーム１５と、採尿アーム１５の先端に設けられた採尿器２６と、を備えている。図８，図９に示すように、採尿器２６は上面が開口した箱形容器であり、その平面視形状は二等辺三角形をく字状に湾曲させた形状をなし、その二等辺三角形の底辺に相当する部分に突設された連結部２６ｄを介して採尿アーム１５の先端に着脱可能に取り付けられている。採尿器２６の片側面には、図２で示したリム１１ａの内周１１ｂの凹曲面形状に沿った凸曲面形状をした対向部２６ａが設けられ、対向部２６ａの対面には対向部２６ａと同方向に湾曲した曲面部２６ｅが設けられている。また、採尿器２６の底部２６ｂの採尿アーム１５寄りの角隅部には底部２６ｂを貫通する排出孔２６ｃが設けられている。
【００２３】
また、採尿器２６の底部２６ｂの基端寄りの領域は採尿アーム１５と略平行な平面部２６ｂｆであるが、先端寄りの領域は連結部２６ｄに向かって下り勾配の傾斜面部２６ｂｕとなっている。さらに、採尿器２６の上面開口部２６ｇは対向部２６ａから曲面部２６ｅに向かって下り勾配をなしている。
【００２４】
採尿器２６をこのような形状とすれば、図５に示すように、採尿器２６が採尿位置Ｐ４にあるとき上面開口部２６ｇは略水平状態となるため、採尿器２６は、使用者が排泄した尿を効率良く採取することができる。また、採尿器２６が収納位置Ｐ１にあるときは底部２６ｂの平面部２６ｂｆが略水平状態となるとともに傾斜面部２６ｂｕは平面部２６ｂｆに向かって下り勾配をなすため、採尿器２６内に残留している尿や洗浄水は速やかに平面部２６ｂｆに集まり、排出孔２６ｃから排出される。
【産業上の利用可能性】
【００２５】
本発明の採尿装置は、一般家庭や医療施設などのトイレにある洋式便器において広く利用することができる。
【図面の簡単な説明】
【００２６】
【図１】本発明の実施の形態である採尿装置を洋式便器に取り付けた状態を示す平面図である。
【図２】図１の一部拡大図である。
【図３】図１における矢線Ａ方向から見た図である。
【図４】図１のＢ−Ｂ線における一部省略断面図である。
【図５】本発明のその他の実施の形態である採尿装置を示す側面図である。
【図６】図５に示す採尿装置の正面図である。
【図７】図５に示す採尿装置の一部省略平面図である。
【図８】（ａ）は図５に示す採尿装置を構成する採尿器の平面図であり、（ｂ）は前記採尿器の側面図であり、（ｃ）は前記採尿器の底面図である。
【図９】（ａ）は図８に示す採尿器の正面図であり、（ｂ）は前記採尿器の背面図である。
【図１０】従来の採尿装置を示す図である。
【符号の説明】
【００２７】
１０，２０  採尿装置
１１  洋式便器
１１ａ  リム
１１ｂ  内周
１１ｔ  トラップ
１２，２２  ケーシング
１３  モータ
１４  駆動軸
１４ａ  上端部
１４ｒ  傾斜角度
１５  採尿アーム
１６，２６  採尿器
１６ａ，２６ａ  対向部
１６ｂ，２６ｂ  底部
１６ｃ，２６ｃ  排出孔
１７  ボウル
１７ａ  ボウル面
１８  ベルト
１９  便座
２６ｂｆ  平面部
２６ｂｕ  傾斜面部
２６ｄ  連結部
２６ｅ  曲面部
２６ｇ  上面開口部
Ｌ  仮想平面
Ｐ１  収納位置
Ｐ４  採尿位置
Ｓ  隙間
Ｖ  鉛直線
【図１】
2008014675.tif 000003
【図２】
2008014675.tif 000004
【図３】
2008014675.tif 000005
【図４】
2008014675.tif 000006
【図５】
2008014675.tif 000007
【図６】
2008014675.tif 000008
【図７】
2008014675.tif 000009
【図８】
2008014675.tif 000010
【図９】
2008014675.tif 000011
【図１０】
2008014675.tif 000012